(57)【要約】【課題】  無線ＬＡＮ基地局のＩＰアドレスを忘れてしまった際にも、確実にターゲットとなる無線ＬＡＮ基地局にＩＰ通信を用いて設定の確認・変更を行うことが可能な無線ＬＡＮ基地局を提供する。【解決手段】  無線ＬＡＮ基地局１はプローブ要求を受信すると、プローブ応答を送信し、同時に、定期的に送信しなければならないビーコンフレームの送信を開始する。無線ＬＡＮ基地局１は無線ＬＡＮ端末２と帰属処理が開始されるのと同時に、自局内のＤＨＣＰサーバを起動させる。ＤＨＣＰサーバは無線ＬＡＮ基地局１の無線インタフェースに対してのみ動作し、かつ保守用ＳＳＩＤを使用して帰属した無線ＬＡＮ端末にのみ動作する。無線ＬＡＮ基地局１は無線ＬＡＮ端末２が自局との帰属を完了させると、自局内のＤＨＣＰサーバから無線ＬＡＮ端末２に対してＩＰアドレスをリリースする。【選択図】      図１
2007201650.tif 000002
【特許請求の範囲】
【請求項１】
無線ＬＡＮ（Ｌｏｃａｌ  Ａｒｅａ  Ｎｅｔｗｏｒｋ）端末と無線ＬＡＮ基地局との間で無線通信を行う無線通信システムであって、
前記無線ＬＡＮ基地局は、予め設定された保守用ＳＳＩＤ（Ｓｅｒｖｉｃｅ  Ｓｅｔ  ＩＤｅｎｔｉｆｉｅｒ）を使用して帰属した無線ＬＡＮ端末に対してＩＰ（Ｉｎｔｅｒｎｅｔ  Ｐｒｏｔｏｃｏｌ）アドレスをリリースする手段を有することを特徴とする無線通信システム。
【請求項２】
前記保守用ＳＳＩＤは、前記無線ＬＡＮ基地局固有の番号であることを特徴とする請求項１記載の無線通信システム。
【請求項３】
前記保守用ＳＳＩＤは、少なくとも前記無線ＬＡＮ基地局のＭＡＣ（Ｍｅｄｉａ  Ａｃｃｅｓｓ  Ｃｏｎｔｒｏｌ）アドレス及びシリアルナンバのうちのいずれかであることを特徴とする請求項２記載の無線通信システム。
【請求項４】
前記無線ＬＡＮ基地局は、前記保守用ＳＳＩＤを使用して帰属した無線ＬＡＮ端末からのデータが、自機器が属するネットワークに流失するのを抑止することを特徴とする請求項１から請求項３のいずれか記載の無線通信システム。
【請求項５】
前記ＩＰアドレスをリリースする手段は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）処理を行うＤＨＣＰサーバであり、
前記ＤＨＣＰサーバは、前記保守用ＳＳＩＤを使用して帰属した無線ＬＡＮ端末に対してのみ前記ＤＨＣＰ処理を行うことを特徴とする請求項１から請求項４のいずれか記載の無線通信システム。
【請求項６】
前記無線ＬＡＮ基地局は、前記無線ＬＡＮ端末から前記保守用ＳＳＩＤを含むプローブ信号を受信してから、定期的に送信しなければならないビーコンフレームの送信と当該無線ＬＡＮ端末の帰属処理とを開始することを特徴とする請求項１から請求項５のいずれか記載の無線通信システム。
【請求項７】
前記無線ＬＡＮ基地局は、無線ＬＡＮスイッチを用いたシステムの無線ＬＡＮ基地局、有線回線を持たないメッシュネットワーク対応の無線ＬＡＮ基地局を含むことを特徴とする請求項１から請求項６のいずれか記載の無線通信システム。
【請求項８】
無線ＬＡＮ（Ｌｏｃａｌ  Ａｒｅａ  Ｎｅｔｗｏｒｋ）端末との間で無線通信を行う無線ＬＡＮ基地局であって、
予め設定された保守用ＳＳＩＤ（Ｓｅｒｖｉｃｅ  Ｓｅｔ  ＩＤｅｎｔｉｆｉｅｒ）を使用して帰属した無線ＬＡＮ端末に対してＩＰ（Ｉｎｔｅｒｎｅｔ  Ｐｒｏｔｏｃｏｌ）アドレスをリリースする手段を有することを特徴とする無線ＬＡＮ基地局。
【請求項９】
前記保守用ＳＳＩＤは、自局固有の番号であることを特徴とする請求項８記載の無線ＬＡＮ基地局。
【請求項１０】
前記保守用ＳＳＩＤは、少なくとも自局のＭＡＣ（Ｍｅｄｉａ  Ａｃｃｅｓｓ  Ｃｏｎｔｒｏｌ）アドレス及びシリアルナンバのうちのいずれかであることを特徴とする請求項９記載の無線ＬＡＮ基地局。
【請求項１１】
前記保守用ＳＳＩＤを使用して帰属した無線ＬＡＮ端末からのデータが、自機器が属するネットワークに流失するのを抑止することを特徴とする請求項８から請求項１０のいずれか記載の無線ＬＡＮ基地局。
【請求項１２】
前記ＩＰアドレスをリリースする手段は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）処理を行うＤＨＣＰサーバであり、
前記ＤＨＣＰサーバは、前記保守用ＳＳＩＤを使用して帰属した無線ＬＡＮ端末に対してのみ前記ＤＨＣＰ処理を行うことを特徴とする請求項８から請求項１１のいずれか記載の無線ＬＡＮ基地局。
【請求項１３】
前記無線ＬＡＮ端末から前記保守用ＳＳＩＤを含むプローブ信号を受信してから、定期的に送信しなければならないビーコンフレームの送信と当該無線ＬＡＮ端末の帰属処理とを開始することを特徴とする請求項８から請求項１２のいずれか記載の無線ＬＡＮ基地局。
【請求項１４】
無線ＬＡＮスイッチを用いたシステムの無線ＬＡＮ基地局、有線回線を持たないメッシュネットワーク対応の無線ＬＡＮ基地局を含むことを特徴とする請求項８から請求項１３のいずれか記載の無線ＬＡＮ基地局。
【請求項１５】
無線ＬＡＮ（Ｌｏｃａｌ  Ａｒｅａ  Ｎｅｔｗｏｒｋ）端末と無線ＬＡＮ基地局との間で無線通信を行う無線通信システムに用いる設定内容確認／変更方法であって、
前記無線ＬＡＮ基地局が、予め設定された保守用ＳＳＩＤ（Ｓｅｒｖｉｃｅ  Ｓｅｔ  ＩＤｅｎｔｉｆｉｅｒ）を使用して帰属した無線ＬＡＮ端末に対してＩＰ（Ｉｎｔｅｒｎｅｔ  Ｐｒｏｔｏｃｏｌ）アドレスをリリースする処理を実行することを特徴とするに用いる設定内容確認／変更方法。
【請求項１６】
前記保守用ＳＳＩＤは、前記無線ＬＡＮ基地局固有の番号であることを特徴とする請求項１５記載の設定内容確認／変更方法。
【請求項１７】
前記保守用ＳＳＩＤは、少なくとも前記無線ＬＡＮ基地局のＭＡＣ（Ｍｅｄｉａ  Ａｃｃｅｓｓ  Ｃｏｎｔｒｏｌ）アドレス及びシリアルナンバのうちのいずれかであることを特徴とする請求項１６記載の設定内容確認／変更方法。
【請求項１８】
前記無線ＬＡＮ基地局が、前記保守用ＳＳＩＤを使用して帰属した無線ＬＡＮ端末からのデータが、自機器が属するネットワークに流失するのを抑止することを特徴とする請求項１５から請求項１７のいずれか記載の設定内容確認／変更方法。
【請求項１９】
前記ＩＰアドレスをリリースする処理は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）処理であり、
そのＤＨＣＰ処理において、前記保守用ＳＳＩＤを使用して帰属した無線ＬＡＮ端末に対してのみ処理を行うことを特徴とする請求項１５から請求項１８のいずれか記載の設定内容確認／変更方法。
【請求項２０】
前記無線ＬＡＮ基地局が、前記無線ＬＡＮ端末から前記保守用ＳＳＩＤを含むプローブ信号を受信してから、定期的に送信しなければならないビーコンフレームの送信と当該無線ＬＡＮ端末の帰属処理とを開始することを特徴とする請求項１５から請求項１９のいずれか記載の設定内容確認／変更方法。
【請求項２１】
前記無線ＬＡＮ基地局は、無線ＬＡＮスイッチを用いたシステムの無線ＬＡＮ基地局、有線回線を持たないメッシュネットワーク対応の無線ＬＡＮ基地局を含むことを特徴とする請求項１５から請求項２０のいずれか記載の設定内容確認／変更方法。
【発明の詳細な説明】
【技術分野】
【０００１】
本発明は無線通信システム、無線ＬＡＮ基地局及びそれらに用いる設定内容確認／変更方法に関し、特に無線ＬＡＮ（Ｌｏｃａｌ  Ａｒｅａ  Ｎｅｔｗｏｒｋ）基地局、無線ＬＡＮスイッチを用いたシステムの無線ＬＡＮ基地局、有線回線を持たないメッシュネットワーク対応の無線ＬＡＮ基地局における設定内容の確認及び変更に関する。
【背景技術】
【０００２】
従来、無線ＬＡＮ基地局としては、上記のように、無線ＬＡＮスイッチを用いたシステムの無線ＬＡＮ基地局、有線回線を持たないメッシュネットワーク対応の無線ＬＡＮ基地局を含んでいる。
【０００３】
これらの無線ＬＡＮ基地局に設定したＩＰ（Ｉｎｔｅｒｎｅｔ  Ｐｒｏｔｏｃｏｌ）アドレスを忘れてしまった場合には、これらの無線ＬＡＮ基地局との通信を確立するために、シリアルコンソールを使って無線ＬＡＮ基地局と通信することで、無線ＬＡＮ基地局の設定内容を読出す方法が一般的である。
【０００４】
また、シリアルコンソールを備えていない場合には、リセットボタン等を用意することで、現在の設定をクリアし、デフォルト設定に戻す機能を備えることによって、ＩＰアドレスを工場出荷時の状態に戻している。
【０００５】
この場合、無線ＬＡＮ基地局においては、マニュアル等に記載されているデフォルトのＩＰアドレスを相手としたＩＰ通信することで、無線ＬＡＮ基地局との通信を確立し、ＷＥＢやＴＥＬＮＥＴ等のＩＰ通信を行い、これらの無線ＬＡＮ基地局の設定変更することを可能としている（例えば、特許文献１，２参照）。
【０００６】
【特許文献１】特開２００３−１０１５４６号公報
【特許文献２】特開２００４−２８２６３７号公報
【発明の開示】
【発明が解決しようとする課題】
【０００７】
しかしながら、上述した従来の無線ＬＡＮ基地局では、天井等に設置されることが多いので、設定内容を忘れてしまうと、その無線ＬＡＮ基地局との通信を行うために、保守用ＰＣ（Ｐｅｒｓｏｎａｌ  Ｃｏｍｐｕｔｅｒ）と天井に設置されている無線ＬＡＮ基地局とをシリアルケーブルで接続する必要があり、この作業にとても手間がかかっている。また、従来の無線ＬＡＮ基地局では、その設定の確認・変更を可能とするために、シリアルコネクタを実装する必要がある。
【０００８】
一方、リセットボタンを備えた無線ＬＡＮ基地局の場合には、一度、運用状態に入った後に設定内容を忘れてしまうと、リセットをする以外に無線ＬＡＮ基地局との通信を確立することができないため、無線ＬＡＮ基地局との通信を確立するために、運用を一度停止させなければならない。
【０００９】
また、無線ＬＡＮ基地局では、リセットをすることでデフォルト設定に戻ってしまうため、現在の設定内容を確認する等といったことも行うことができない。さらに、無線ＬＡＮ基地局では、デフォルトで他の無線ＬＡＮ基地局と同じＩＰアドレスを保持していることになるため、デフォルト状態のまま有線ネットワークに接続することもできない。
【００１０】
有線回線を持たないメッシュネットワーク対応の無線ＬＡＮ基地局の場合には、リセットボタンを用いてデフォルトのＩＰアドレスに戻したとしても、有線回線がないため、有線回線からの接続が不可能である。また、当該無線ＬＡＮ基地局では、上記の有線回線の代わりに無線回線を用いて無線接続を確立することができないため、無線ＬＡＮ基地局との通信を確立することができない。
【００１１】
仮に、無線ＬＡＮ基地局のリセットボタンを押下することで、ＩＰアドレス並びに無線接続に最低必要な項目をデフォルト設定に戻す機能を持たせたとしても、周りに同じデフォルト設定の無線ＬＡＮ基地局が存在していれば、保守用ＰＣがどの無線ＬＡＮ基地局に接続しているのかが分からなくなってしまうという問題もある。
【００１２】
そこで、本発明の目的は上記の問題点を解消し、無線ＬＡＮ基地局のＩＰアドレスを忘れてしまった際にも、確実にターゲットとなる無線ＬＡＮ基地局にＩＰ通信を用いて設定の確認・変更を行うことができる無線通信システム、無線ＬＡＮ基地局及びそれらに用いる設定内容確認／変更方法を提供することにある。
【課題を解決するための手段】
【００１３】
本発明による無線通信システムは、無線ＬＡＮ（Ｌｏｃａｌ  Ａｒｅａ  Ｎｅｔｗｏｒｋ）端末と無線ＬＡＮ基地局との間で無線通信を行う無線通信システムであって、
前記無線ＬＡＮ基地局は、予め設定された保守用ＳＳＩＤ（Ｓｅｒｖｉｃｅ  Ｓｅｔ  ＩＤｅｎｔｉｆｉｅｒ）を使用して帰属した無線ＬＡＮ端末に対してＩＰ（Ｉｎｔｅｒｎｅｔ  Ｐｒｏｔｏｃｏｌ）アドレスをリリースする手段を備えている。
【００１４】
本発明による無線ＬＡＮ基地局は、無線ＬＡＮ（Ｌｏｃａｌ  Ａｒｅａ  Ｎｅｔｗｏｒｋ）端末との間で無線通信を行う無線ＬＡＮ基地局であって、
予め設定された保守用ＳＳＩＤ（Ｓｅｒｖｉｃｅ  Ｓｅｔ  ＩＤｅｎｔｉｆｉｅｒ）を使用して帰属した無線ＬＡＮ端末に対してＩＰ（Ｉｎｔｅｒｎｅｔ  Ｐｒｏｔｏｃｏｌ）アドレスをリリースする手段を備えている。
【００１５】
本発明による設定内容確認／変更方法は、無線ＬＡＮ（Ｌｏｃａｌ  Ａｒｅａ  Ｎｅｔｗｏｒｋ）端末と無線ＬＡＮ基地局との間で無線通信を行う無線通信システムに用いる設定内容確認／変更方法であって、
前記無線ＬＡＮ基地局が、予め設定された保守用ＳＳＩＤ（Ｓｅｒｖｉｃｅ  Ｓｅｔ  ＩＤｅｎｔｉｆｉｅｒ）を使用して帰属した無線ＬＡＮ端末に対してＩＰ（Ｉｎｔｅｒｎｅｔ  Ｐｒｏｔｏｃｏｌ）アドレスをリリースする処理を実行している。
【００１６】
すなわち、本発明の無線通信システムは、無線ＬＡＮ（Ｌｏｃａｌ  Ａｒｅａ  Ｎｅｔｗｏｒｋ）基地局、無線ＬＡＮスイッチを用いたシステムの無線ＬＡＮ基地局、有線回線を持たないメッシュネットワーク対応の無線ＬＡＮ基地局（以下、これらを無線ＬＡＮ基地局と総称する）において、ディスプレイ装置やシリアルインタフェースがないために、無線ＬＡＮ基地局に設定されたＩＰ（Ｉｎｔｅｒｎｅｔ  Ｐｒｏｔｏｃｏｌ）アドレスを確認する手段がない場合においても、簡単かつ確実に無線ＬＡＮ基地局のＩＰアドレス情報を取得して無線ＬＡＮ基地局とのＩＰ通信を確立することで、無線ＬＡＮ基地局と保守用ＰＣ（Ｐｅｒｓｏｎａｌ  Ｃｏｍｐｕｔｅｒ）等の無線ＬＡＮ端末との通信を確立し、設定変更を行うことが可能となる。
【００１７】
本発明の無線通信システムでは、無線ＬＡＮ基地局にシリアルポートやデフォルト設定に戻すための機能を備えることなく、ＡＰ（Ａｃｃｅｓｓ  Ｐｏｉｎｔ）のＭＡＣ（Ｍｅｄｉａ  Ａｃｃｅｓｓ  Ｃｏｎｔｒｏｌ）アドレスをＳＳＩＤ（Ｓｅｒｖｉｃｅ  Ｓｅｔ  ＩＤｅｎｔｉｆｉｅｒ）として使用し、保守用ＰＣを無線ＬＡＮ基地局と無線ＬＡＮで接続することによって、シリアルコンソール経由で行っていた無線ＬＡＮ基地局の設定変更・確認と同等な機能が可能となる。
【００１８】
また、本発明の無線通信システムでは、無線ＬＡＮを使用した接続なので、今まで行っていたようなケーブル接続を行う必要がないため、無線ＬＡＮ基地局の設定を確認する作業の効率化を図ることが可能となる。
【００１９】
上記のように、本発明の無線通信システムでは、無線ＬＡＮ基地局のＩＰアドレスを覚えることなく、無線ＬＡＮ基地局と保守用ＰＣとのＩＰ通信を確立することが可能となるので、無線ＬＡＮ基地局のＩＰアドレスを忘れてしまった際にも、確実にターゲットとなる無線ＬＡＮ基地局にＩＰ通信を用いて設定の確認・変更を行うことが可能となり、ケーブルを接続する手間を省くことが可能となる。
【００２０】
また、本発明の無線通信システムでは、無線ＬＡＮ通信を使用して設定の確認・変更が可能なため、無線ＬＡＮ基地局の設定確認を行うために実装が必要であったシリアルコネクタが不要となる。
【００２１】
さらに、本発明の無線通信システムでは、シリアルコネクタを備えていない無線ＬＡＮ基地局に必要であったデフォルトのＩＰアドレスを割り振る必要がなくなるため、工場出荷の状態からネットワークに接続することが可能となる。
【００２２】
さらにまた、本発明の無線通信システムでは、無線ＬＡＮ基地局固有の値をＳＳＩＤとして使用するため、クライアントの周りにたくさんの無線ＬＡＮ基地局が存在していても、確実にターゲットとなる無線ＬＡＮ基地局との通信を行うことが可能となる。
【発明の効果】
【００２３】
本発明は、上記のような構成及び動作とすることで、無線ＬＡＮ基地局のＩＰアドレスを忘れてしまった際にも、確実にターゲットとなる無線ＬＡＮ基地局にＩＰ通信を用いて設定の確認・変更を行うことができるという効果が得られる。
【発明を実施するための最良の形態】
【００２４】
次に、本発明の実施例について図面を参照して説明する。図１は本発明の一実施例による無線通信システムの構成を示すブロック図である。図１において、本発明の一実施例による無線通信システムは無線ＬＡＮ（Ｌｏｃａｌ  Ａｒｅａ  Ｎｅｔｗｏｒｋ）基地局１と、保守用ＰＣ（Ｐｅｒｓｏｎａｌ  Ｃｏｍｐｕｔｅｒ）等の無線ＬＡＮ端末（クライアント端末）２とから構成されている。
【００２５】
無線ＬＡＮ基地局１としては、シリアルコネクタを備えていない無線ＬＡＮ基地局、無線ＬＡＮスイッチを用いたシステムの無線ＬＡＮ基地局、有線回線を持たないメッシュネットワーク対応の無線ＬＡＮ基地局を含んでいる。
【００２６】
図２は図１の無線ＬＡＮ基地局１の構成を示すブロック図である。図２において、無線ＬＡＮ基地局１はＣＰＵ（中央処理装置）１１と、ＣＰＵ１１が実行する制御プログラム１２ａを格納するメインメモリ１２と、ＣＰＵ１１が制御プログラム１２ａを実行する際の作業領域としても使用可能な記憶装置１３と、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ１４と、有線回線を持つ場合にその有線回線による通信を制御する通信制御部１５と、無線通信を制御する無線通信制御部１６とから構成されている。
【００２７】
この無線ＬＡＮ基地局１においては、ＣＰＵ１１、メインメモリ１２、記憶装置１３、ＤＨＣＰサーバ１４、通信制御部１５、無線通信制御部１６がそれぞれ内部バス１１０に接続されている。また、記憶装置１３には無線ＬＡＮ基地局１の設定情報を記憶する設定情報記憶領域１３１と、無線ＬＡＮ基地局１のＩＰ（Ｉｎｔｅｒｎｅｔ  Ｐｒｏｔｏｃｏｌ）アドレスを記憶するＩＰアドレス記憶領域１３２と、無線ＬＡＮ基地局１固有の値［例えば、無線ＬＡＮ基地局１のＭＡＣ（Ｍｅｄｉａ  Ａｃｃｅｓｓ  Ｃｏｎｔｒｏｌ）アドレス］を保守用ＳＳＩＤ（Ｓｅｒｖｉｃｅ  Ｓｅｔ  ＩＤｅｎｔｉｆｉｅｒ）として記憶する保守用ＳＳＩＤ記憶領域１３３とを備えている。
【００２８】
無線ＬＡＮ基地局１は、通常、ＨＵＢのように動作するが、無線ＬＡＮ基地局１自身が他の機器とＩＰ通信を行うために、ＩＰスタックを保持している。また、無線ＬＡＮ基地局１は、通常、有線ＬＡＮや無線ＬＡＮを通じて他の通信機器と通信を行うことが可能であるが、この場合、無線ＬＡＮ基地局１と通信を試みる通信機器は事前に無線ＬＡＮ基地局１のＩＰアドレスを知っておく必要がある。
【００２９】
このＩＰアドレスを知るためには、無線ＬＡＮ基地局１にあるシリアルコンソールから、現在設定されているＩＰアドレスを確認する方法か、無線ＬＡＮ基地局１に備えられているリセットボタンを押下し、デフォルトのＩＰアドレスに設定を戻す方法が行われることが一般的である。
【００３０】
本実施例では、上記のように、シリアルコンソールやリセットボタンを使用することなく、無線ＬＡＮ基地局１の設定内容を確認したり、変更したりする方法を実現している。
【００３１】
図３及び図４は本発明の一実施例による無線ＬＡＮ基地局１の動作を示すフローチャートである。これら図１〜図４を参照して本発明の一実施例による無線ＬＡＮ基地局１おける設定内容の確認及び変更の方法について説明する。尚、図３及び図４に示す処理動作は上記のＣＰＵ１１が制御プログラム１２ａを実行することで実現される。
【００３２】
無線ＬＡＮ基地局１は電源が投入されると（図３ステップＳ１）、有線ＬＡＮ側について（図３ステップＳ２）、通常の無線ＬＡＮ基地局と同等の動作を行う。つまり、無線ＬＡＮ基地局１は無線ＬＡＮ端末２が固定ＩＰアドレスであれば（図３ステップＳ３）、そのまま処理を起動する（図３ステップＳ６）。
【００３３】
また、無線ＬＡＮ基地局１は無線ＬＡＮ端末２が固定ＩＰアドレスでなければ（図３ステップＳ３）、ＤＨＣＰによる無線ＬＡＮ端末２へのＩＰアドレスの自動割り当てが完了すると（図３ステップＳ４）、無線ＬＡＮ端末２のＩＰアドレスを取得し（図３ステップＳ５）、処理を起動する（図３ステップＳ６）。
【００３４】
一方、無線ＬＡＮ基地局１は無線ＬＡＮ側についても（図３ステップＳ２）、通常の無線ＬＡＮ基地局と同等の動作を行う。つまり、無線ＬＡＮ基地局１において、通常のＳＳＩＤの場合には、終始、必要な電波を送信しているが、通常のＳＳＩＤの動作とは独立に動作する保守用ＳＳＩＤの場合には、プローブ要求（Ｐｒｏｂｅ  ｒｅｑｕｅｓｔ）を受信するまで電波を送信しない（図３ステップＳ７，Ｓ８）。この場合、ＥＳＳＩＤ（Ｅｘｔｅｎｄｅｄ  Ｓｅｒｖｉｃｅ  Ｓｅｔ  ＩＤｅｎｔｉｆｉｅｒ）は無線ＬＡＮ基地局１のＭＡＣアドレスである。
【００３５】
上記のように、無線ＬＡＮ側において、無線ＬＡＮ基地局１は、ステップＳ７にて、通常の無線ＬＡＮ基地局と同じように、自局に設定された送信チャネル・送信出力・ＳＳＩＤ等の設定内容に基づいて電波を送信する。この時、無線ＬＡＮ基地局１は、保守用ＳＳＩＤを有したプローブ要求の受信を待つ。
【００３６】
この場合の保守用ＳＳＩＤは無線ＬＡＮ基地局１に固有に割り振られているものが望ましい。例えば、論理的に割り当て可能なＩＰアドレス等ではなく、無線ＬＡＮ基地局１が固有に保有しているシリアルナンバやＭＡＣアドレス等が望ましい。
【００３７】
無線ＬＡＮ基地局１は保守用ＳＳＩＤを有したプローブ要求を受信すると（図３ステップＳ８）、その応答としてプローブ応答（Ｐｒｏｂｅ  ｒｅｓｐｏｎｓｅ）を送信する（図３ステップＳ９）。このとき同時に、無線ＬＡＮ基地局１は定期的に送信しなければならないビーコン（Ｂｅａｃｏｎ）フレームの送信を開始する（図３ステップＳ１０）。
【００３８】
その後、無線ＬＡＮ基地局１は無線ＬＡＮ端末２の帰属処理が開始されるのと同時に（図３ステップＳ１１）、自局内のＤＨＣＰサーバ１４を起動させる（ｄｈｃｐｄとｔｅｌｎｅｔｄとを起動）（図３ステップＳ１２）。このＤＨＣＰサーバ１４は無線ＬＡＮ基地局１の無線インタフェースに対してのみ動作し、かつ保守用ＳＳＩＤを使用して帰属した無線ＬＡＮ端末２にのみ動作する。このとき、無線ＬＡＮ基地局１側がＤＨＣＰクライアントとなり、無線ＬＡＮ端末２側がＤＨＣＰサーバとして動作することも可能である。この場合、無線ＬＡＮ基地局１では、無線ＬＡＮ端末２からのデータが他の有線インタフェースや無線インタフェースを介して無線ＬＡＮ基地局１が属するネットワーク上に流失しないように制御されている。
【００３９】
無線ＬＡＮ基地局１は無線ＬＡＮ端末２が自局との帰属を完了させると（図３ステップＳ１３，図４ステップＳ１４）、自局内のＤＨＣＰサーバ１４から無線ＬＡＮ端末２に対してＩＰアドレスをリリースする（図４ステップＳ１５）。無線ＬＡＮ端末２はＩＰアドレスをリリースしたＤＨＣＰサーバ１４のＩＰアドレスを知ることが可能なので、ＤＨＣＰサーバ１４とＩＰ通信することが可能となる。
【００４０】
無線ＬＡＮ端末２とＤＨＣＰサーバ１４との間のＩＰ通信が可能となれば、ｔｅｌｎｅｔやｗｅｂを使用することによって、無線ＬＡＮ基地局１の設定内容の確認や変更が可能となる（図４ステップＳ１６〜Ｓ１８）。
【００４１】
無線ＬＡＮ基地局１は無線ＬＡＮ端末２に対するＤＨＣＰが完了せずに（図４ステップＳ１４）、または無線ＬＡＮ端末２がｔｅｌｎｅｔログインせずに（図４ステップＳ１６）、所定時間（例えば、本実施例では５分）が経過すると（図４ステップＳ２０）、Ｄｅａｕｔｈを送信し（図４ステップＳ２１）、ビーコンの送信を停止する（図４ステップＳ２２）。この後、無線ＬＡＮ基地局１はステップＳ７に戻ってプローブ要求の受信待ちとなる。
【００４２】
このように、本実施例では、無線ＬＡＮ基地局１のＩＰアドレスを覚えることなく、無線ＬＡＮ基地局１とのＩＰ通信を確立することができるので、無線ＬＡＮ基地局１のＩＰアドレスを忘れてしまった際にも確実にターゲットとなる無線ＬＡＮ基地局１とのＩＰ通信を用いて無線ＬＡＮ基地局１の設定内容の確認や変更を行うことができる。よって、本実施例では、無線ＬＡＮ通信を使用して設定内容の確認や変更を行うことが可能となるため、ケーブルを接続する手間を省くことができる。
【００４３】
また、本実施例では、無線ＬＡＮ通信を使用して設定内容の確認や変更を行うことが可能となるため、無線ＬＡＮ基地局１の設定内容を確認するために実装が必要であったシリアルコネクタが不要となる。
【００４４】
さらに、本実施例では、シリアルコネクタを備えていない無線ＬＡＮ基地局、無線ＬＡＮスイッチを用いたシステムの無線ＬＡＮ基地局、有線回線を持たないメッシュネットワーク対応の無線ＬＡＮ基地局に必要であったデフォルトのＩＰアドレスを割り振る必要がなくなるため、工場出荷の状態からネットワークに接続することが可能となる。
【００４５】
さらにまた、本実施例では、無線ＬＡＮ基地局１固有の値をＳＳＩＤとして使用するため、無線ＬＡＮ端末２の周りにたくさんの無線ＬＡＮ基地局１が存在した場合でも、確実にターゲットとなる無線ＬＡＮ基地局１と通信を行うことが可能となる。
【図面の簡単な説明】
【００４６】
【図１】本発明の一実施例による無線通信システムの構成を示すブロック図である。
【図２】図１の無線ＬＡＮ基地局１の構成を示すブロック図である。
【図３】本発明の一実施例による無線ＬＡＮ基地局１の動作を示すフローチャートである。
【図４】本発明の一実施例による無線ＬＡＮ基地局１の動作を示すフローチャートである。
【符号の説明】
【００４７】
１  無線ＬＡＮ基地局
２  無線ＬＡＮ端末
１１  ＣＰＵ
１２  メインメモリ
１２ａ  制御プログラム
１３  記憶装置
１４  ＤＨＣＰサーバ
１５  通信制御部
１６  無線通信制御部
１１０  内部バス
１３１  設定情報記憶領域
１３２  ＩＰアドレス記憶領域
１３３  保守用ＳＳＩＤ記憶領域
【図１】
2007201650.tif 000003
【図２】
2007201650.tif 000004
【図３】
2007201650.tif 000005
【図４】
2007201650.tif 000006